(57)【特許請求の範囲】
【請求項１】
１台の給湯機を複数世帯で共用する集合住宅用給湯機に於いて、前記給湯機の出湯温度を所定の一定温度に固定すると共に、該給湯機と多芯線を介して接続し各世帯に設置されるリモコンには、操作手段として給湯機への通電を制御し該給湯機を給湯可能な待機状態とするロック式の電源スイッチのみを備え、更に各リモコンの電源スイッチでＯＮ・ＯＦＦ制御される電磁弁を、給湯機と各世帯に設置された給湯栓とを結ぶ給湯路中で給湯栓と給湯機との間に備えた事を特徴とする集合住宅用給湯機。
【発明の詳細な説明】
【０００１】
【発明の属する技術分野】
この発明はマンションやアパート等の集合住宅用給湯機、特に１台の給湯機を複数世帯で共用するものに関する。
【０００２】
【従来の技術】
従来よりこの種のものに於いては、図５に示す如く、各世帯毎に専用の給湯機ａが設置され、世帯数分の給湯機ａが必要となり、集合住宅のオーナーにとっては設備コストが高くなるものであった。
【０００３】
【発明が解決しようとする課題】
ところでこの従来のものでは、複数世帯で１台の給湯機を共用使用するようにすればコスト的にも安価となるものであるが、給湯設定温度が各世帯に備えられたリモコンで自由に行われる為、知らない間に設定温度が変更されてしまい、低温使用時他世帯で高温設定されると火傷する等の危険も有し、使用勝手が悪いものであり、又電源スイッチも後押し優先となっているので、給湯使用中に他世帯で電源スイッチが押されると電源ＯＦＦとなり給湯が使用出来なくなる等の種々の問題点が発生するものであった。
【０００４】
【問題点を解決するための手段】
この発明はこの点に着目し上記欠点を解決する為、特にその構成を、１台の給湯機を複数世帯で共用する集合住宅用給湯機に於いて、前記給湯機の出湯温度を所定の一定温度に固定すると共に、該給湯機と多芯線を介して接続し各世帯に設置されるリモコンには、操作手段として給湯機への通電を制御し該給湯機を給湯可能な待機状態とするロック式の電源スイッチのみを備え、更に各リモコンの電源スイッチでＯＮ・ＯＦＦ制御される電磁弁を、給湯機と各世帯に設置された給湯栓とを結ぶ給湯路中で給湯栓と給湯機との間に備えたものである。
【０００６】
【発明の実施の形態】
２世帯で共用する１台の給湯機１の出湯温度は、予め所定の高温度に固定し、各世帯に設置されたリモコン３には操作手段としてロック式の電源スイッチ６のみが備えられ、この電源スイッチ６を閉成し、給湯栓９を開けば所定温度の給湯が得られ、混合水洗を利用して温度調節すれば、所望温度の給湯を使用出来るものであり、給湯機１から供給される出湯温度が常に一定であるので、他世帯の変更で温度が急に変わって火傷する危険もなく、又ロック式の電源スイッチ６であるから開成しないかぎり閉成状態を継続し、安心して使用出来、しかも給湯機１台を２世帯で共用するからコスト的にも安価で済むものである。
【０００７】
【実施例】
次にこの発明に係る集合住宅用給湯機を図面に示された一実施例で説明する。
１はアパート等の集合住宅２に設置された給湯機で、２世帯を分ける２部屋の真ん中に備えられ１台で２世帯の給湯を行うもので、燃料は石油、ガスどちらでも良く、ここでは４万Ｋｃａｌ／ｈの石油ガス化方式のものを採用している。
【０００８】
又この給湯機１は予め出湯温度を所定の一定温度ここでは７５℃に固定されており、常に出湯温度が７５℃になるようにバーナ（図示せず）等の制御対象を制御するものである。
【０００９】
３は各世帯毎に設置され給湯機１の通電制御を行うリモコンで、給湯機１とは２芯線４、５で接続され、この２芯線４、５の一方を開閉する操作手段としてのロック式の電源スイッチ６を備えると共に、給湯機１への通電で点灯し非通電で消灯する電源ランプ７と、給湯機１の燃焼開始で点灯し消灯で消灯する燃焼ランプ８とを備えている。
【００１０】
９は給湯機１の出湯口１０と給湯路１１を介して連通し各世帯に備えられた給湯栓で、出湯温度が高温の７５℃で固定されているから原則的には給水との混合が可能なサーモ付混合栓で構成され、ここで自由に温度調節して希望の給湯を得るものである。
【００１１】
１２は出湯口１０近傍の給湯路１１途中に備えられた該給湯路１１開閉用の電磁弁で、電源スイッチ６閉成による通電信号が給湯機１内のマイコン（図示せず）に入力することでＯＮされ、この信号がなくなることでＯＦＦし、電源スイッチ６が閉成されている給湯路１１のみを開成して給湯可能とするものである。
【００１２】
１３は前記電磁弁１２より給湯栓９側の給湯路１１に備えられた温水メータで、給湯の使用量を積算する為のものである。
【００１３】
１４は給湯機１の給水口１５に接続した給水管、１６は給湯路１１に連通した排水栓である。
【００１４】
次にこの発明一実施例の作動について説明する。
今１台の給湯機１を２世帯で使用する時、先ず使用する側のリモコン３の電源スイッチ６を閉成することで、他方のリモコン３の電源スイッチ６が開成状態であれば、給湯機１は初めて通電状態となると共に、この閉成したリモコン３側の電磁弁１２がＯＮされ給湯待機状態となるものであり、この時電源ランプ７が点灯してこの状態を表示する。
【００１５】
そして、給湯栓９の開栓による流水をフローセンサ（図示せず）が検知して給湯機１は燃焼を開始して出湯温度７５℃固定の給湯が行われ、給湯栓９ではこの７５℃の出湯に適宜給水を混合して所望温度の給湯を得るものであり、この給湯機１の燃焼は燃焼ランプ８の点灯で知ることが出来るものである。
【００１６】
更に給湯不使用の為にこのリモコン３の電源スイッチ６を開成すれば、給湯機１への通電は停止されると共に、電磁弁１２もＯＦＦされ給湯路１１を閉口するので、給湯栓９を開栓しても給湯は行われないものであり、電源ランプ８共に消灯状態を保持するものである。
【００１７】
次に他方のリモコン３の電源スイッチ６が閉成されていて給湯機１が通電状態である時に、もう１世帯側のリモコン３の電源スイッチ６を閉成した場合には、給湯機１はすでに他のリモコン３の操作で通電状態であり、電磁弁１２のみが開成されて給湯路１１を連通状態として待機状態となるもので、上記と同様に給湯栓９を開栓すれば７５℃固定の出湯が得られるものであり、又他方が給湯中でも同様に７５℃の出湯が得られ給湯栓９でミキシングして適宜温度の給湯を得るものである。
【００１８】
従って、１台の給湯機１を２世帯で共用しても、給湯温度が知らない間に変更されていて、火傷すると言う危険はなく、又電源スイッチ６を閉成している限り、途中で給湯が停止すると言う不具合もないもので、使用勝手が良く安心して使用出来るものであり、しかも２世帯で１台の給湯機１を設置すれば良いので設備コストも安価で済むものである。
【００１９】
又各給湯路１１には各リモコン３の電源スイッチ６に連動してＯＮ・ＯＦＦする電磁弁１２を備えたので、使用する意志があって電源スイッチ６を閉成した世帯にのみ給湯が行えるものであり、一方の世帯が給湯中に他の世帯で給湯栓９を開くことで、給湯の意志がないのに不用意に給湯が行われる不具合を確実に防止することが出来るものである。
【００２０】
尚この実施例では、１台の給湯機を２世帯で共用した例を示したが、これに限定されることなく、１台を３、４世帯で共用するようにしても良い事は勿論である。
【００２１】
【発明の効果】
以上のようにこの発明によれば、１台の給湯機を複数世帯で共用しても、給湯温度が他世帯で不用意に変更されることで発生する火傷等の危険もなく、又給湯途中の他世帯給湯使用で給湯が停止される不具合もなく、極めて使用勝手が良く安心して使用出来、しかも１台を複数世帯で共用するので設備費も安価で済など集合住宅用に最適な給湯機を提供出来るものである。
【００２２】
又給湯路には各リモコンの電源スイッチに連動してＯＮ・ＯＦＦされる電磁弁を設ければ、給湯意志がある給湯路のみが開放されることとなって、誤って給湯が行われることが確実に防止され、使用者に不安感を与えることなく常に良好な給湯が行えるものである。
【図面の簡単な説明】
【図１】  この発明の一実施例を付した集合住宅用給湯機を設置した住宅の概略構成図。
【図２】同リモコンの正面図。
【図３】同リモコンの電気回路図。
【図４】同給湯機回りの配管図。
【図５】  従来の給湯機を使用した集合住宅の概略構成図。
【符号の説明】
１  給湯機
２  集合住宅
３  リモコン
６  電源スイッチ
１１  給湯路
１２  電磁弁
【図１】
0003802276.tif 000002
【図２】
0003802276.tif 000003
【図３】
0003802276.tif 000004
【図４】
0003802276.tif 000005
【図５】
0003802276.tif 000006